(57)【要約】【課題】プラズマディスプレイの輸送時の転倒防止を安価な構成で実現することを目的とする。【解決手段】平板形状のプラズマディスプレイが個別に収容されかつ横方向及び縦方向の大きさに比較して奥行き方向の大きさが小さい直方体形状の梱包箱２１と、この梱包箱２１を複数個奥行き方向に並べた状態で梱包箱２１の側面に結合される連結板２２と、この連結板２２を前記梱包箱２１に着脱自在に取り付けるためのジョイント部材２３とを備えたもので、安価な構成で転倒を防止することができる。【選択図】  図１
2004182331.tif 000002
【特許請求の範囲】
【請求項１】
少なくとも前面側が透明な一対の基板を基板間に複数の放電セルを形成して対向配置したパネルを有する平板形状のプラズマディスプレイが個別に収容されかつ横方向及び縦方向の大きさに比較して奥行き方向の大きさが小さい直方体形状の梱包箱と、この梱包箱を複数個奥行き方向に並べた状態で梱包箱の側面に結合される連結板と、この連結板を前記梱包箱に着脱自在に取り付けるためのジョイント部材とを備えたことを特徴とするプラズマディスプレイの梱包装置。
【請求項２】
梱包箱の側面と連結板それぞれに係合孔を設け、その係合孔にジョイント部材を装着することにより、梱包箱を連結板で結合したことを特徴とする請求項１に記載のプラズマディスプレイの梱包装置。
【発明の詳細な説明】
【０００１】
【発明の属する技術分野】
本発明は、平面型表示装置としてのプラズマディスプレイの梱包装置に関するものである。
【０００２】
【従来の技術】
従来、この種のプラズマディスプレイは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイ装置におけるプラズマディスプレイパネルの構造について図４を用いて説明する。図４に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図５にこのプラズマディスプレイパネルの電極配列を示しており、図５に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図６に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１１】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１２】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１３】
このような構成のプラズマディスプレイは大型画面で薄型を最大の特徴としており、そのため梱包状態においても奥行き寸法が小さく、従来のＣＲＴのテレビ、ディスプレイの１／２から１／３程度になっていることが知られている。
【００１４】
そして、この平板形状のプラズマディスプレイを輸送のために梱包した場合、図７に示すように、プラズマディスプレイ自体が平板形状であるため、梱包箱１７に収容した梱包後の全体形状も、横方向及び縦方向の寸法に比べて奥行きが小さい直方体の形状となり、またプラズマディスプレイの薄型化に伴い、さらに奥行き寸法が小さくなっているため、図７の矢印で示す奥行き方向に対して転倒しやすいという課題がある。
【００１５】
そこで、特許文献１に示すように、梱包箱に転倒防止用の部材を設けることが考えられている。
【００１６】
【特許文献１】
特開２００２−２１１６６９号公報
【００１７】
【発明が解決しようとする課題】
しかしながら、このように梱包箱に転倒防止用の部材を設けるようにした場合、プラズマディスプレイの輸送後は廃棄される梱包箱に特別な加工、部材の追加が発生するため、コストが高くなってしまうという課題がある。
【００１８】
本発明はこのような課題を解決するもので、プラズマディスプレイの輸送時の転倒防止を安価な構成で実現することを目的とする。
【００１９】
【課題を解決するための手段】
この課題を解決するために本発明のプラズマディスプレイの梱包装置は、直方体形状の梱包箱と、この梱包箱を複数個奥行き方向に並べた状態で梱包箱の側面に結合される連結板と、この連結板を前記梱包箱に着脱自在に取り付けるためのジョイント部材とを備えたもので、安価な構成で転倒を防止することができる。
【００２０】
【発明の実施の形態】
本発明の請求項１に記載の発明は、少なくとも前面側が透明な一対の基板を基板間に複数の放電セルを形成して対向配置したパネルを有する平板形状のプラズマディスプレイが個別に収容されかつ横方向及び縦方向の大きさに比較して奥行き方向の大きさが小さい直方体形状の梱包箱と、この梱包箱を複数個奥行き方向に並べた状態で梱包箱の側面に結合される連結板と、この連結板を前記梱包箱に着脱自在に取り付けるためのジョイント部材とを備えたことを特徴とする。
【００２１】
また、本発明の請求項２に記載の発明は、請求項１において、梱包箱の側面と連結板それぞれに係合孔を設け、その係合孔にジョイント部材を装着することにより、梱包箱を連結板で結合したことを特徴とする。
【００２２】
以下に、本発明の一実施の形態について、図１〜図３を参照しながら説明する。
【００２３】
図１〜図３に本発明の一実施の形態を示しており、図において２１は横方向及び縦方向の大きさに比較して奥行き方向の大きさが小さい直方体形状の梱包箱であり、この梱包箱２１内には、上述したように少なくとも前面側が透明な一対の基板を基板間に複数の放電セルを形成して対向配置したパネルを有する平板形状のプラズマディスプレイが内部で容易に動かないように緩衝材により保持されて収容されている。
【００２４】
２２は前記梱包箱２１を複数個奥行き方向に並べた状態で梱包箱の側面２１ａに結合される樹脂からなる連結板で、この連結板２２には、梱包箱２１の奥行き方向、すなわち側面２１ａの幅の長さの間隔で分離用のスリット２２ａが設けられており、連結する梱包箱２１の数に応じて連結板２２の長さを調整することができる。また、梱包箱２１の側面２１ａには係合孔２１ｂが設けられ、そして連結板２２のスリット２２ａ間の中間には、前記梱包箱２１の係合孔２１ｂに合致するように係合孔２２ｂが設けられている。
【００２５】
２３は前記係合孔２１ｂ、２２ｂに着脱自在に装着される樹脂からなるジョイント部材で、このジョイント部材２３は、前記係合孔２１ｂ、２２ｂに挿着される内側ジョイント２４と、この内側ジョイント２４に挿着される外側ジョイント２５とから構成されている。前記内側ジョイント２４には、前記外側ジョイント２５を内側ジョイント２４に挿着することにより外側に開くように回動し、梱包箱２１の内面に当接する係合片２４ａを有しており、この係合片２４ａと鍔部２４ｂとで、梱包箱２１と連結板２２とを挾持することにより梱包箱２１に連結板２２が結合される。
【００２６】
このような構成によれば、プラズマディスプレイの輸送時、梱包箱２１を連結板２２で連結した状態で輸送することとなり、輸送時に懸念される転倒がなくなるため、輸送時に転倒し、プラズマディスプレイに衝撃が加えられて、最悪の場合破壊してしまうということがなくなる。しかも、連結板２２とジョイント部材２３を追加するのみで良いため、安価に実現することもできる。
【００２７】
また、本実施の形態においては、連結板２２にスリット２２ａを設けており、連結する個数に合わせて連結板２２を切断して用いることができる。また、このような連結板２２の構成により、輸送時は複数個を連結して輸送するとともに、そのまま倉庫などに保管し、一般ユーザーにプラズマディスプレイを販売し、届ける場合には、スリット２２ａで連結板２２を切断して他の連結状態の製品から分離するように用いることができ、プラズマディスプレイの安定した輸送・保管に適するものとなる。
【００２８】
しかも、本実施の形態のように、梱包箱２１の側面２１ａにおいて連結板２２で連結する構成とすることにより、一般にプラズマディスプレイは画面サイズが変わっても厚みはあまり変わらないため、異なるインチサイズのプラズマディスプレイの梱包に連結板２２を共用して使用することもできる。
【００２９】
なお、上記実施の形態においては、連結板２２とジョイント部材２３を別々に構成したが、勿論連結板２２にジョイント部材２３を樹脂の一体成形により設ける構成としてもよい。
【００３０】
【発明の効果】
以上説明したように本発明によれば、大型で平板形状となるプラズマディスプレイにおいて、梱包箱に入れて輸送する際に転倒しやすいという課題を簡単な構成で解決することができ、しかも連結板とジョイント部材を追加するのみでよいため、安価に実現することができる。
【図面の簡単な説明】
【図１】本発明の一実施の形態によるプラズマディスプレイの梱包装置を示す斜視図
【図２】同装置の要部を拡大して示す斜視図
【図３】同じく断面図
【図４】一般のプラズマディスプレイのパネル部分を示す斜視図
【図５】同じく電極配線を示す概略図
【図６】プラズマディスプレイの分解斜視図
【図７】プラズマディスプレイの梱包装置における課題を説明するための斜視図
【符号の説明】
２１  梱包箱
２２  連結板
２１ｂ、２２ｂ  係合孔
２３  ジョイント部材
【図１】
2004182331.tif 000003
【図２】
2004182331.tif 000004
【図３】
2004182331.tif 000005
【図４】
2004182331.tif 000006
【図５】
2004182331.tif 000007
【図６】
2004182331.tif 000008
【図７】
2004182331.tif 000009